(57)【特許請求の範囲】
【請求項１】
発泡剤を用いて形成される発泡剤形成パネルによって形成される収納装置であって、
前記発泡剤形成パネルは、
前記発泡剤により形成される内部発泡剤形成部材、
前記内部発泡剤形成部材の内表面に沿って位置する内表面部材、
前記内部発泡剤形成部材の外表面に沿って位置する外表面部材、
前記内部発泡剤形成部材の内表面から前記内部発泡剤形成部材の外表面まで、前記内部発泡剤形成部材を貫通するように形成され、所定の部材が配置される部材配置空間を備え、
前記所定の部材は、前記収納装置の開閉操作を行うための開閉ハンドルに接続するリンク機構であって、
前記外表面部材において、前記部材配置空間が形成されている位置に形成される外表面開口、
前記内表面部材において、前記部材配置空間が形成されている位置に形成される内表面開口、
を有し、
前記外表面開口内側に前記リンク機構が、前記外表面開口外側に前記開閉ハンドルが各々設置されている、
収納装置。
【発明の詳細な説明】
【技術分野】
【０００１】
本発明は、収納装置に関し、特に、発泡剤を用いて形成されるものに関する。
【背景技術】
【０００２】
従来の収納装置について、図４に示すような、バン型車両の荷箱を用いて説明する。断熱を施したバン型車両の荷箱は、前壁ａ、開口部に扉が設けられた後壁ｂ、天井ｃ、両側壁ｄ、ｄ及び床ｅからなる六面体で構成されている。この断熱荷箱は次の手順により造られる。
【０００３】
１）前壁ａ；両隅柱ａ１、ａ２、上梁ａ３、下梁ａ４を方形に枠組みし、上梁ａ３と下梁ａ４間に巾方向に複数本の中柱ａ５を配設し、外面に前壁板ａ６を固設する。
２）後壁ｂ；両隅柱ｂ１（図示なし）、ｂ２、上梁ｂ３、下梁ｂ４を方形に枠組みし、門口部に扉ｂ５を開閉可能にとりつける。
【０００４】
３）天井ｃ；一定間隔で長手方向に配列した天井梁ｃ１、ｃ２に１枚ものゝ天井板ｃ３を張設する。
【０００５】
４）側壁ｄ；上桁ｄ１と下桁ｄ２の間に縦方向に一定間隔で配設した中柱ｄ３の外面に側壁板ｄ４を張設する。
【０００６】
５）床ｅ；荷箱の長手方向と直交して一定間隔で配設したクロスメンバ−（根太材）ｅ１の上面に床板ｅ２を張り、その上面に間隔部材(スペ−サ）ｅ３を介して床板ｅ４を張設する（以上、特許文献１参照）。
【先行技術文献】
【特許文献】
【０００７】
【特許文献１】実開平７−２１８０号公報
【発明の概要】
【発明が解決しようとする課題】
【０００８】
前述のバン型車両の荷箱には、以下に示すような改善すべき点がある。バン型車両の荷箱において形成される扉ｂ５を閉じて、荷箱を密閉すると、荷箱の内部空間と外部との間に圧力差が生じ、扉ｂ５を開けることができなくなる場合がある。特に、荷箱が、内部空間を低温に保つ保冷庫であった場合には、密閉した状態で内部空間の温度を下げると、内部空間の圧力が低下するため、扉ｂ５を開けにくい、という改善すべき点がある。
【０００９】
そこで、本発明は、密閉した収納装置の開閉扉を容易に操作することができる収納装置を提供することを目的とする。
【発明の効果】
【００１０】
本発明における課題を解決するための手段及び発明の効果を以下に示す。
【００１１】
本発明に係る収納装置は、発泡剤を用いて形成される発泡剤形成パネルによって形成される収納装置であって、前記発泡剤形成パネルは、前記発泡剤により形成される内部発泡剤形成部材、前記内部発泡剤形成部材の内表面に沿って位置する内表面部材、前記内部発泡剤形成部材の外表面に沿って位置する外表面部材、前記内部発泡剤形成部材の内表面から前記内部発泡剤形成部材の外表面まで、前記内部発泡剤形成部材を貫通するように形成され、所定の部材が配置される部材配置空間を備え、前記所定の部材は、前記収納装置の開閉操作を行うための開閉ハンドルに接続するリンク機構であって、前記外表面部材において、前記部材配置空間が形成されている位置に形成される外表面開口、前記内表面部材において、前記部材配置空間が形成されている位置に形成される内表面開口、を有し、前記外表面開口内側に前記リンク機構が、前記外表面開口外側に前記開閉ハンドルが各々設置されている。
【００１２】
これにより、収納装置の内部空間と外部とを、常時、連通させることができる。収納装置の内部空間における圧力を、外部の圧力と等しくできるため、密閉した収納装置を開ける際に、開閉扉を容易に操作することができる。
【図面の簡単な説明】
【００１３】
【図１】本発明に係る収納装置の一実施例である保冷庫付き自動車（以下、保冷車）の保冷庫１００の斜視図である。
【図２】後面開閉パネル１０１の開閉ハンドル１０１ａの配置位置における断面を示す図である。
【図３】サービスホールカバー１０１ｃ３の外観を示す斜視図である。
【図４】従来の保冷庫を説明するための図である。
【発明を実施するための形態】
【００１４】
以下、本発明の実施例について、図面を参照しながら詳細に説明していく。
【実施例１】
【００１５】
本発明に係る収納装置の一実施形態である保冷庫付き自動車（以下、保冷車）の保冷庫１００について用いて説明する。保冷庫１００は、荷台付き自動車、例えば、軽トラックの荷台に設置されるものである。
【００１６】
保冷庫１００の構成について、図１を用いて説明する。図１は、軽トラックの荷台に設置されている保冷庫１００の斜視図を示している。保冷庫１００は、後面に左右に開く後面開閉パネル１０１、１０３を有している。後面開閉パネル１０１は、使用者が開閉する際に手で操作する開閉ハンドル１０１ａを有している。
【００１７】
後面開閉パネル１０１の開閉ハンドル１０１ａの配置位置における断面を図２に示す。後面開閉パネル１０１は、内部発泡剤形成部材１０１ｂ、内表面部材１０１ｃ、外表面部材１０１ｄ、部材配置空間１０１ｅ、外表面開口１０１ｆ、及び、内表面開口１０１ｇ（図示せず）を有している。
【００１８】
内部発泡剤形成部材１０１ｂは、発泡剤を用いて形成される。具体的には、内部発泡剤形成部材１０１ｂは、（１）内表面部材１０１ｃ、外表面部材１０１ｄを所定の枠部材Ｆに取り付け、（２）内表面部材１０１ｃ、及び、外表面部材１０１ｄによって閉じられた空間のうち部材配置空間１０１ｅ以外の空間に、所定の発泡剤を注入し、発泡させることによって形成される。
【００１９】
内部発泡剤形成部材１０１ｂにおいて、開閉ハンドル１０１ａが取り付けられ位置に対応して、部材配置空間１０１ｅが形成される。部材配置空間１０１ｅは、内部発泡剤形成部材１０１ｂの内表面から外表面まで、内部発泡剤形成部材１０１ｂを貫通するように形成される。なお、部材配置空間１０１ｅには、開閉ハンドル１０１ａを開閉するためのリンク機構（図示せず）が配置される。
【００２０】
内表面部材１０１ｃは、内表面パネル１０１ｃ１、及び、サービスホールカバー１０１ｃ３を有している。内表面パネル１０１ｃ１は、金属薄板によって形成されている。内表面パネル１０１ｃ１は、内部発泡剤形成部材１０１ｂの内表面に沿って位置する。また、内表面パネル１０１ｃ１は、部材配置空間１０１ｅが形成されている位置に対応して、サービスホールが形成されている。サービスホールは、部材配置空間１０１ｅに配置されている開閉ハンドル１０１ａのリンク機構等に不具合が生じた際に、リンク機構等を修理するために形成される開口である。
【００２１】
サービスホールカバー１０１ｃ３は、サービスホールに対応して、サービスホールを閉じるように配置される。サービスホールカバー１０１ｃ３は、樹脂材によって形成される四角形形状を有している。サービスホールカバー１０１ｃ３の外観を示す斜視図を図３に示す。サービスホールカバー１０１ｃ３は、保冷庫１００の内部空間の断熱性を維持するために、サービスホールを覆うように配置される断熱材Ｉを有している。
【００２２】
サービスホールカバー１０１ｃ３の所定の位置に、内表面開口１０１ｇが形成される。なお、内表面開口１０１ｇは、マトリクス状に配置された複数の開口により形成されている。このように、サービスホールカバー１０１ｃ３に内表面開口１０１ｇを形成することによって、部材配置空間１０１ｅと保冷庫１００の内部空間とを接続する。
【００２３】
図２に戻って、外表面部材１０１ｄは、外表面パネル１０１ｄ１、及び、開閉ハンドル設置開口カバー１０１ｄ３を有している。外表面パネル１０１ｄ１は、金属薄板によって形成されている。外表面パネル１０１ｄ１は、内部発泡剤形成部材１０１ｂの外表面に沿って位置する。また、外表面パネル１０１ｄ１には、部材配置空間１０１ｅが形成されている位置に対応して、開閉ハンドル設置開口が形成されている。開閉ハンドル設置開口は、部材配置空間１０１ｅに対応して配置される開閉ハンドル１０１ａを設置するための開口である。
【００２４】
開閉ハンドル設置開口カバー１０１ｄ３には、外表面パネル１０１ｄ１の外側に位置する開閉ハンドル１０１ａに接続するリンク機構を、外表面パネル１０１ｄ１の内側に位置する部材配置空間１０１ｅに配置するための外表面開口１０１ｆが形成される。つまり、外表面開口１０１ｆによって、部材配置空間１０１ｅと保冷庫１００の外側とが接続される。
【００２５】
このように、後面開閉パネル１０１に、部材配置空間１０１ｅ、外表面開口１０１ｆ、及び、内表面開口１０１ｇを形成することによって、保冷庫１００の内部空間と外部とを、常時、連通させることができる。これにより、保冷庫１００の内部空間における圧力を、外部の圧力と等しくできるため、密閉した保冷庫１００を開ける際に、後面開閉パネル１０１、１０３を容易に操作することができる。
［その他の実施形態］
【００２６】
（１）後面開閉パネル１０１：前述の実施例１においては、後面開閉パネル１０１に、部材配置空間１０１ｅ、外表面開口１０１ｆ、及び、内表面開口１０１ｇを形成するとしたが、内部空間と外部とを接続できる場所であれば、例示のものに限定されない。例えば、側面にスライドドアを有する場合には、側面パネルに、部材配置空間１０１ｅ、外表面開口１０１ｆ、及び、内表面開口１０１ｇを形成するようにしてもよい。
【００２７】
（２）部材配置空間１０１ｅ：前述の実施例１においては、開閉ハンドル１０１ａのリンク機構等が配置される部材配置空間１０１ｅを用いて、内部空間と外部とを接続するとしたが、何らかの部材を配置し、内部空間と外部とを接続する空間であれば、例示のものに限定されない。
【００２８】
（３）サービスホールカバー１０１ｃ３、開閉ハンドル設置開口カバー：前述の実施例１においては、部材配置空間１０１ｅと内部空間とを接続する内表面開口１０１ｇは、サービスホールカバー１０１ｃ３に形成されるとしたが、部材配置空間１０１ｅと内部空間とを接続できる場所であれば、例示の場所に限定されない。例えば、サービスホールカバー１０１ｃ３が配置されない場所であれば、内表面パネル１０１ｃ１に、直接、内表面開口１０１ｇを形成するようにしてもよい。外表面開口１０１ｆについても同様である。
【００２９】
（４）保冷庫１００：前述の実施例１においては、収納装置として保冷車の保冷庫１００を示したが、保温車や、温度調整機能を有しない収納庫を有する自動車であってもよい。
【産業上の利用可能性】
【００３０】
本発明に係る収納装置は、例えば、自動車の保冷車に用いることができる。
【符号の説明】
【００３１】
１００      保冷庫
１０１      後面開閉パネル
１０１ａ      開閉ハンドル
１０１ｂ      内部発泡剤形成部材
１０１ｃ      内表面部材
１０１ｃ１      内表面パネル
１０１ｃ３      サービスホールカバー
１０１ｄ      外表面部材
１０１ｄ１      外表面パネル
１０１ｄ３      開閉ハンドル設置開口カバー
１０１ｅ      部材配置空間
１０１ｆ      外表面開口
１０１ｇ      内表面開口
【図１】
0006762659.tif 000002
【図２】
0006762659.tif 000003
【図３】
0006762659.tif 000004
【図４】
0006762659.tif 000005